(57)【要約】【課題】排水量の少ない場合でも、毛髪などのゴミが、取手部に絡んだり付着したりすることなく排水目皿の中央である下段部（底部）まで誘導して集中的に堆積して捕集し、排水目皿の清掃の際に、捕集ゴミを取り除き易くする取り扱いが簡単な排水目皿を実現する。【解決手段】排水目皿１は、環状のフランジ部２、上段部１０及び下段部１１を備えており、フランジ部２と上段部１０は上部周壁６を介して連成されており、上段部１０と下段部１１は下部周壁１２を介して連成されており、取手部４をフランジ部２の外縁より内側に引っ込んだ位置に起立して設けるとともに、取手部４の内面側にフランジ部２より高い位置まで上段部１０より起立して凸状部１６を設ける。【選択図】図１
2010275717.tif 000002
【特許請求の範囲】
【請求項１】
ゴミの捕集部と、捕集部の周囲に形成されるフランジ部と、フランジ部から起立して形成される取手部を備えた排水目皿において、取手部の内面側にフランジ部より上方、かつ取手部の把持部より下方の高さを有する凸状部が形成されていることを特徴とする排水目皿。
【請求項２】
取手部の把持部と凸状部が略同じ幅で形成されていることを特徴とする請求項１に記載
の排水目皿。
【請求項３】
取手部の外面側がフランジ部の外縁より少し内側に位置していることを特徴とする請求項１又は２に記載の排水目皿。
【請求項４】
捕集部が上段部と下段部の複数の段部を備えており、凸状部が上段部から上方に突出するように形成されていることを特徴とする請求項１〜３のいずれか記載の排水目皿。
【発明の詳細な説明】
【技術分野】
【０００１】
本発明は、毛髪、繊維くず、その他のゴミを捕集するゴミの捕集部を有し、例えば、浴室の洗い場や洗面ボウルなどの排水部に設置する排水目皿（ヘアキャッチャー）に関する。
【背景技術】
【０００２】
従来、浴室の排水部などに取り付けられ、排水のみを通して毛髪やその他のゴミを捕集するものとして、図７（ａ）に示すような構成の排水目皿が知られている。この排水目皿４０は、排水口への取り付け機能を有しかつ網目状排水孔４１を有する平坦なフランジ部４２と、逆円錐台曲面からなる傾斜壁面４３と、網目状排水孔４４を有する底部４５と、底部４５に設けられた取手４６とから構成されている。この底部４５は、排水する機能とゴミを捕集する捕集部として機能を有する。
【０００３】
その他、従来、浴室の排水口に設置するヘアキャッチャーにおいて、ゴミ捕集面の縁から筒部が形成され、筒部の上端に取手が設けられた構成が知られている（特許文献１参照）。さらに、浴室の排水口に設置するヘアキャッチャーにおいて、外周部の外周縁よりも内側に控えた位置から上方に突出するオーバーフロー管部によって立上部を形成し、立上部の上端部に摘み部を設けた構成が知られている（特許文献２参照）。
【０００４】
ところで、図７（ａ）に示す従来の排水目皿は、排水量が多く、流れの勢いが強い場合は、排水の多くは排水目皿４０の中央である底部４５まで流れて網目状排水孔４４を通って排出されるので、排水と同時に流れてくる毛髪などのゴミも底部４５まで誘導されて捕集される。
【０００５】
しかし、排水量の少ない場合は、フランジ部４２の網目状排水孔４１からも排水が排出されるために、同時に流れてくる毛髪などのゴミはフランジ部４２や傾斜壁面４３などに引っかかって付着するようなことが生じ、底部４５までゴミを誘導し堆積して捕集しにくくなり、排水目皿４０の清掃が面倒であるいう問題があった。
【０００６】
また、特許文献１、２記載の発明も、ヘアキャッチャーの略全面に排水孔が形成されているから、これらの排水孔でゴミが捕集され、排水目皿の底部中央で集中的にゴミを捕集し、一括して除去しにくいものと考えられる。
【０００７】
これらの従来例、特許文献１、２における課題を解決するために、本発明者らは、図７（ｂ）に示すような排水目皿を、本発明の先行技術としてすでに提案している（特願２００９−１０８６９４号参照）。
【０００８】
この先行技術に係る排水目皿５０は、環状の平面部（フランジ部）５１と下段部（底部）５２との間に、中間の段部として環状の上段部５３を設けることで、排水量の少ない場合でも、排水が旋回流として流れ易くして、同時に流れてくる毛髪などのゴミを、排水目皿５０の中央である下段部５２に誘導して捕集、堆積し、排水目皿の清掃の際に、捕集ゴミを下段部５２から一括して取り除くことで、清掃し易くするものである。
【先行技術文献】
【特許文献】
【０００９】
【特許文献１】特開２００７−２１１５８２号公報
【特許文献２】特開２００９−７７７８号公報
【発明の概要】
【発明が解決しようとする課題】
【００１０】
上記先行技術は、中間の段部として上段部５３を設けることで、排水量の少ない場合でも、排水が旋回流として流れ、毛髪などのゴミを、排水目皿５０の中央である下段部５２に誘導し易くするという効果が生じる。しかし、この先行技術では、排水量が少ない場合には、取手部５５付近で滞留する水量が少なくなるために毛髪３４が取手部５５に絡まり易いという改良すべき点がある。      
【００１１】
本発明は、排水量の少ない場合でも、排水と同時に流れてくる毛髪などのゴミが、排水目皿の上方のフランジ部や取手部に絡みにくくして、中央である底部（下段部）になるべく堆積して捕集されるようにして、排水目皿の清掃の際に、捕集ゴミを底部から一括して取り除くことができる、取り扱いが簡単な排水目皿を実現することを課題とする。
【課題を解決するための手段】
【００１２】
本発明は上記課題を解決するために、ゴミの捕集部と、捕集部の周囲に形成されるフランジ部と、フランジ部から起立して形成される取手部を備えた排水目皿において、取手部の内面側にフランジ部より上方、かつ取手部の把持部より下方の高さを有する凸状部が形成されていることを特徴とする排水目皿を提供する。
【００１３】
取手部の把持部と凸状部が略同じ幅で形成されていることが好ましい。
【００１４】
取手部の外面側がフランジ部の外縁より少し内側に位置していることが好ましい。
【００１５】
捕集部が上段部と下段部の複数の段部を備えており、凸状部が上段部から上方に突出するように形成されていることが好ましい。
【発明の効果】
【００１６】
本発明の排水目皿は、取手部の内面側がフランジ部より高い位置まで凸状部を形成するようにしたので、排水とともに流れてきた毛髪などのゴミは、滞留する排水中を浮遊しながら捕集部内へ誘導される。そのため、毛髪が取手部に絡んだり付着したりしにくくなり、捕集ゴミを捕集部から一括して取り除き易くなり、清掃性が向上する。
【図面の簡単な説明】
【００１７】
【図１】本発明の排水目皿の実施例１の構成を示す図であり、（ａ）は斜視図であり、（ｂ）は平面図である。
【図２】本発明の排水目皿の実施例１の構成を示す図であり、（ａ）は図１（ｂ）のＡ−Ａ断面図であり、（ｂ）は図１（ｂ）のＢ−Ｂ断面図である。
【図３】（ａ）は排水ケースなどを排水口に取り付けた状態を示す図であり、（ｂ）は上記実施例１の排水目皿を排水口に取り付けた状態を示す図である。
【図４】（ａ）、（ｂ）は、上記実施例１の作用を説明する図である。
【図５】（ａ）〜（ｃ）は、上記実施例１の作用を説明する図である。
【図６】本発明の排水目皿の実施例２の構成を示す図であり、（ａ）は斜視図であり、（ｂ）は断面図である。
【図７】（ａ）排水目皿の従来例の斜視図であり、（ｂ）は本発明の先行技術であり、（ｃ）は上記先行技術の改良すべき点を説明する図である。
【発明を実施するための形態】
【００１８】
本発明に係る排水目皿を実施するための形態を実施例に基づき図面を参照して、以下説明する。
【実施例１】
【００１９】
図１〜５は、本発明に係る排水目皿の実施例１を説明する図である。本発明に係る排水目皿１は、フランジ部２、捕集部３及び取手部４を備えており、図１及び図２に示すように、全体的にほぼ皿状に形成されている。                      
【００２０】
フランジ部２は、排水目皿１の上端において、径方向に水平に張りだした平坦な面を有する環状のフランジとして形成されており、従来例の排水目皿４０のフランジ部４２に形成されているような排水孔４１（図７（ａ）参照）などは形成されておらず、排水を捕集部３へ導入する部分となる。
【００２１】
図２に示すように、フランジ部２は、その内周縁において下方に向けて曲げられた曲げ部５を介して、環状の上部周壁６に連続して接続されている。上部周壁６は、垂直面又は傾斜面で形成されている。上部周壁６の外面には、該外面に沿って湾曲状に突縁７が形成されている。この突縁７は、後記するが、排水口８に取り付ける際にアダプタ９に嵌着される。これにより、フランジ部２は、アダプタ９と略面一となるようにして、排水目皿１が排水口８に取り付けられる（図３（ｂ）参照）。なお、図示はしないが、上部周壁６の例えば上半部に複数の排水孔を周方向に間隔をおいて形成してもよい。
【００２２】
捕集部３は、複数の段部を備えており、本実施例１では、複数の段部として上段部１０と下段部（捕集底部）１１の２つの段部を備えた構成例を説明する。捕集部３は上部周壁６の下端から水平に曲げられて、上段部１０に連続して接続されている。この上段部１０は、排水目皿１において、最上部であるフランジ部２と、最下部である下段部１１との間の高さに位置する、いわば中間の段部である。このような中間の段部は、本実施例１では上段部１０の１段しか設けないが、複数段設けた構成としてもよい。また、上段部１０（中間の段部）を設けない構成としてもよい。
【００２３】
なお、捕集部３のうち上段部１０は、下段部１１のように毛髪などのゴミを直接捕捉する作用を行うものではなく、後記するが、排水を上段部１０に沿うように毛髪などのゴミを浮かせながら流して下段部１１に誘導することで、毛髪などのゴミを下段部１１で一括して捕集し易くする、捕集のための補助的な機能を有するものである。
【００２４】
本実施例１では、上段部１０には複数の排水孔１０’が設けられており、上段部１０に沿って流れる排水の一部が通過可能に構成されている。しかし、上段部１０に排水孔を設けない構成としてもよい。排水孔を設けるか否か、その数、形状は、排水目皿が設置される場所（例．浴室の洗い場、洗面ボウル等）や排水量などによって適宜設計される事項である。
【００２５】
上段部１０は、その内周縁から下方に向けて曲げられ下部周壁１２に連続し、さらに、下部周壁１２の下端は水平に向けて形成され、下段部１１に連続して接続されている。下部周壁１２は、垂直面又は傾斜面で形成され、排水孔は形成されていない。
【００２６】
下段部１１は、排水目皿１の底部に相当する部分であり、複数の排水孔１１’が形成されており、この排水孔１１’を通過させて排水を排出するとともに、ゴミを捕集する機能を有する。下段部１１は、その上面に同心円状に複数の環状のリブ１４が上に凸に形成されており、互いに隣接するリブ１４の間に、上記複数の排水孔１１’が周方向に間隔をおいて形成されている。リブ１４は、捕集したゴミが下段部１１の表面に密着しにくくさせて、排水目皿１の清掃の際に、ゴミを取り除き易くするとともに、下段部１１の強度を向上する機能を有する。
【００２７】
図２（ａ）、（ｂ）に示すように、取手部４は、把持部１５と凸状部１６を有する。取手部４は、フランジ部２の外縁より内側（排水目皿１の中心側）に引っ込んだ位置から上方に起立して形成されている。換言すると、フランジ部２の内縁側付近から上方に起立し、取手部４の外側にフランジ部２の平坦な面が十分存在するように形成されている。また、取手部４の内面側に、フランジ部２より上方、かつ把持部１５より下方まで凸状部１６が上段部１０の上方に突出するように形成されている。
【００２８】
凸状部１６は、図１（ａ）、（ｂ）及び図２（ｂ）に示すように、左右の側壁１７、正面壁１８及び頂壁１９を備え、取手部４の内面側から排水目皿１の中心に向けて上段部１０のほぼ内縁の位置まで張り出すように、平面視で略扇型の台状に形成されている。凸状部１６と把持部１５は、それらが互いに連成する部分では、排水目皿１の周方向の幅が略同じに形成されている。
【００２９】
正面壁１８は、上段部１０の内縁部から立ち上げられ、上段部１０の内縁に沿うように湾曲面として形成され、上端は平坦な頂壁１９に連続して接続されている。左右の側壁１７は、凸状部１６の左右側方を閉じるように上段部１０から略垂直に立ち上げられており、その前端で正面壁１８に連続して接続され、またその上端で頂壁１９に連続して接続され、後端では上部周壁６に連続して接続されている。
【００３０】
凸状部１６の高さ、具体的には頂壁１９の高さはフランジ部２の上面より高く形成されている。頂壁１９には、上下方向に貫通して通孔２０が形成されており、この通孔２０は、オーバーフロー用の排水孔であり、排水目皿１の下方に連通している。なお、通孔２０が形成されていない構成としてもよい。
【００３１】
（作用）
以上の構成から成る本発明の排水目皿１を排水口８へ装着する手段、及び排水目皿１の作用について、図３〜図５を中心にして以下説明する。排水口８に排水ケース２１を装着し、この排水ケース２１に排水目皿１を装着する。具体的には次の通りである。
【００３２】
図３（ａ）に示すように、排水ケース２１のフランジ２２とアダプタ９のフランジ２３との間に、シール２４を介して、排水口８に形成された棚部２５を挟んだ状態とする。そして、排水ケース２１の内周面に形成されたネジ２６に、上方からアダプタ９の外周面に形成されたネジ２６’を螺合し、棚部２５を締め付けるようにして、アダプタ９を排水ケース２１のフランジ２２に締着する。これにより、排水ケース２１は、排水口８内に設置される。この排水ケース２１内には、下端が開口した排水筒３１が、その上端のフランジ３７をシール２７を介してアダプタ９の下端フランジ２８に引っかけるようにして装着される。
【００３３】
そして、図３（ｂ）に示すように、排水目皿１の外面に形成された湾曲状の突縁７を、アダプタ９の内面に周方向に形成された受け溝２９に、水平回動するようにして装入し、排水目皿１をアダプタ９に装着する。これにより、排水目皿１は、排水ケース２１に取り付けることができる。
【００３４】
図３（ｂ）に示すように、排水蓋３０の周囲から排水口８内に流れ込んだ排水は、排水目皿１にフランジ部２から流れ込み、上部周壁６に案内されて上段部１０の表面に沿って旋回流となって流れる。さらに、排水は、上段部１０から下段部１１に流れ落ち、複数の排水孔１１’を通過して排水筒３１内に排出される。そして、排水は排水筒３１の下方から排水ケース２１の堰部３２を越えて外側に流れて、排出管３３から排水路などに排出される。
【００３５】
排水とともに排水目皿１内に流れ込み、下段部１１の排水孔１１’を通過できない毛髪などのゴミは、下段部１１で捕集される。そして、排水目皿１を清掃する際には、排水目皿１をアダプタ９から取り外して下段部１１などに捕集されたゴミを取り除けばよい。
【００３６】
本発明の排水目皿１の作用を、図４及び図５によってさらに詳細に説明する。図４（ａ）は、排水目皿１における排水と同時に流れてきた毛髪３４が、下段部１１まで流されて誘導される状態を示す図である。図４（ａ）の白抜き矢印で示すように、排水目皿１内に流れ込んだ排水は、上段部１０上を上部周壁６に沿うように旋回して流れながら、下段部１１内に流れ落ちる。     
【００３７】
毛髪３４は、排水とともに上段部１０上を上部周壁６に沿うよう旋回して流れている時には、排水の旋回流の勢いと浮力が毛髪３４に作用し、毛髪３４は上段部１０に付着するようなことなく浮きながら排水とともに流される。そして、毛髪３４は、下段部１１に誘導されて捕集される。
【００３８】
従って、比較的排水量が少ない場合でも、この排水目皿１では、毛髪などのゴミが、上段部１０の表面に付着しにくく、また上段部１０の排水孔１０’内に入り込んで詰まるようなことも生じにくく、捕集されるべき下段部１１において、より多くのゴミが捕集され易くなり、ゴミを下段部から一括し除去できるので清掃もし易い。
【００３９】
本発明の排水目皿１の取手部４をフランジ部２の外縁より内側に引っ込んだ位置（フランジ部２の内縁側付近）から起立して形成するとともに、取手部４の内面側には、把持部１５と一体となった凸状部１６を上段部１０上に起立して設けたことにより、次のような作用が生じる。
【００４０】
毛髪などのゴミは、起立した取手部に絡んだりし易いが、特に、前記の先行技術に示すように、取手部５５の外面がフランジ部５１の外縁近くに形成されていると、取手部５５の背面側から流れ込む排水がフランジ部２とアダプタ９の間の隙間３５の直ぐ上で堰き止められて滞留水５６が生じるために、排水とともに毛髪３４が隙間３５内に流れ込んで詰まったり、絡まったりし易い。（図７（ｃ）参照）。
【００４１】
しかしながら、本発明の排水目皿１の取手部４をフランジ部２の外縁より内側に引っ込む位置に起立して設けたので、取手部４の背面側から流れ込む排水が、図４（ｂ）に示すように、排水目皿のフランジ部２とアダプタ９の隙間３５よりさらに内側に流れ込んだ位置で滞留水３６が生じる。この滞留した排水中に、排水とともに流れてきた毛髪３４が浮遊し、図４（ｂ）及び図５（ａ）に示すように、排水が凸状部１６の背面側から側壁１７の側方側に廻りこみながら上段部１０上に向けて流れる際に一緒に移動する。
【００４２】
この際、次に述べるように、凸状部１６の左右の側壁１７近くに滞留する排水が加わり、毛髪３４はより流動的に上段部１０、さらに下段部１１上に向けて移動する。従って、毛髪３４は、フランジ部２とアダプタ９ の間の隙間３５内に入り込んで絡んだり、取手部４に絡んだり付着したりしにくくなる。
【００４３】
即ち、取手部４の内面側が、フランジ部２より高い位置まで上段部１０から起立した凸状部１６を形成しているので、図４（ｂ）に示すように、取手部４の背面側から流れてきた排水に加えて、取手部４の側壁１７に向けて側方から流れてきた排水が加わり、側壁１７近くで水量が増え滞留する。そのため、排水とともに取手部４の背面側又は側方から流れてきた毛髪３４は、側壁１７近くにおける上段部１０上に滞留した排水中へ流れこみ、さらには下段部１１内へ誘導される。その結果、毛髪３４が取手部４に絡んだり付着したりしにくくなる。
【００４４】
また、凸状部１６はフランジ部２より高い位置まで形成されているので、フランジ部２上を流れてきた毛髪３４は凸状部１６の頂壁１９上に乗り上げにくくなり、頂壁１９の面にも付着しにくくなる。そして、本発明の排水目皿１では、凸状部１６の側壁１７が略垂直に形成されているので、側面に滞留する水量が多くなり、側壁１７面付近に停滞している毛髪３４を排水中に浮かび上がらせて浮遊させながら、側壁１７面側から上段部１０上に流してさらに下段部１１へ誘導することができる。
【００４５】
なお、排水量が多く、排水が頂壁１９を超えてさらに上方まで浸かったような場合は、排水はオーバーフローして通孔２０を通り、直に排水ケース２１内の排水筒３１内に排出される。
【００４６】
以上のとおり、本発明の排水目皿１では、排水とともに流れてきた毛髪３４は、フランジ部２から上段部１０を廻りこみながら下段部１１に流れ込むので、上段部１０に絡みにくくなる。加えて、取手部４をフランジ部２の外縁より内側に形成し、取手部４の内面側に凸状部１６を上段部１０上に起立して設けたので、毛髪３４が取手部４に絡みにくくなる。従って、毛髪３４などのゴミが下段部１１に集まり易くなるので、排水目皿１の清掃に際しても、ゴミを一括して簡単に取り除くことが可能となる。
【実施例２】
【００４７】
図６（ａ）、（ｂ）は、本発明に係る排水目皿の実施例２を説明する図である。この実施例２は、実施例１とほぼ同じ構成であるが、排水目皿の下部周壁の構成において異なる。以下、実施例２について、実施例１と異なる下部周壁の構成を中心に説明し、実施例１と同じ構成は符号を同じとし、その構成の説明を省略する。
【００４８】
上記実施例１においては、その排水目皿１の下部周壁１２には、図１（ａ）及び図２に示すように排水孔は形成されていない。しかし、この実施例２では、排水目皿１’の下部周壁１２’における上部には、複数の矩形の排水孔３８が周方向に間隔をおいて形成されている。この排水孔３８は、実施例２では矩形の形状の孔（角孔）であるが、丸い形状の孔（丸孔）であってもよい。
【００４９】
そして、排水目皿１’の下部周壁１２’におけるほぼ下半分には、孔なし部３９が形成されている。要するに、下部周壁１２’には、複数の排水孔３８が形成されているとともに、その一部に孔なし部３９が形成されている。
【００５０】
実施例２では、上記のとおり、排水目皿１’の下部周壁１２’に複数の排水孔３８を設けたので、排水孔を設けない構成に比較して大きな排水量が確保できる。従って、排水口８からの排水される量が多い状態でも、十分に対応可能である。しかも、排水目皿１’の下部周壁１２’におけるほぼ下半分には、孔なし部３９が形成されているので、下部周壁１２’における下段部４付近には、毛髪などのゴミがへばりつきにくくなり、下段部１１において、より一括して捕集され易くなる。
【００５１】
以上、本発明に係る排水目皿を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５２】
本発明に係る排水目皿は上記のような構成であるから、浴室の洗い場の床に設けた排水口だけでなく、洗面ボウル、キッチンのシンクなどの排水口にも適用可能である。
【符号の説明】
【００５３】
（実施例１）
１  排水目皿                        
２  フランジ部                      
３  捕集部                          
４  取手部                          
５  曲げ部                          
６  上部周壁                        
７  突縁                            
８  排水口                          
９  アダプタ                        
１０  上段部
１０’  上段部の排水孔                      
１１  下段部（捕集底部）
１１’  下段部の排水孔            
１２  下部周壁                      
１４  環状のリブ                    
１５  把持部                        
１６  凸状部                        
１７  左右の側壁                    
１８  正面壁                        
１９  頂壁                          
２０  通孔                          
２１  排水ケース                    
２２  排水ケースのフランジ          
２３  アダプタのフランジ            
２４  シール                        
２５  棚部                         
２６  排水ケースのネジ              
２６’  アダプタのネジ                
２７  シール                          
２８  アダプタの下端フランジ                    
２９  アダプタの受け溝                
３０  排水蓋                          
３１  排水筒                          
３２  排水ケースの堰部                
３３  排出管                          
３４  毛髪                            
３５  フランジ部とアダプタの隙間      
３６  滞留水
３７  排水筒上端のフランジ
（実施例２）
１’  排水目皿
１２’  下部周壁
３８    下部周壁の排水孔
３９    下部周壁の孔なし部
（従来例）
４０  排水目皿
４１  フランジ部の網目状排水孔
４２  フランジ部
４３  傾斜壁面
４４  底部の網目状排水孔
４５  底部
４６  取手
（先行技術）
５０  排水目皿
５１  環状の平面部（フランジ部）
５２  下段部（底部）
５３  上段部
５４  フランジ部とアダプタの間の隙間
５５  取手部
５６  滞留水
【図１】
2010275717.tif 000003
【図２】
2010275717.tif 000004
【図３】
2010275717.tif 000005
【図４】
2010275717.tif 000006
【図５】
2010275717.tif 000007
【図６】
2010275717.tif 000008
【図７】
2010275717.tif 000009